(57)【特許請求の範囲】
【請求項１】
入力された画像データを画面間予測符号化により符号化する符号化手段と、
上記符号化手段により符号化された画像データを記録媒体に記録する記録手段と、
上記記録媒体の記録残量の情報を表示装置に表示する表示手段と、
上記画像データの平均記録レートが安定しているか否かを検出し、上記平均記録レートが安定した状態である場合に上記記録残量の情報を表示し、上記平均記録レートが不安定な状態である場合に上記記録残量の情報の表示を禁止するよう、上記表示手段の表示動作を制御する制御手段とを備えることを特徴とする画像記録装置。
【請求項２】
入力された画像データを画面間予測符号化により符号化する符号化手段と、
上記符号化手段により符号化された画像データを記録媒体に記録する記録手段と、
上記記録媒体の記録残量の情報を表示装置に表示する表示手段と、
上記画像データの平均記録レートが安定しているか否かを検出し、上記平均記録レートが安定した状態である場合と不安定な状態である場合とで、上記記録残量の情報の表示形態を変更するよう、上記表示手段の表示動作を制御する制御手段とを備えることを特徴とする画像記録装置。
【請求項３】
上記制御手段は、上記平均記録レートが不安定な状態である場合に上記記録残量を％表示で行い、安定した状態である場合に上記記録残量を時間で表示するよう上記表示動作を制御することを特徴とする請求項２に記載の画像記録装置。
【請求項４】
上記制御手段は、上記平均記録レートが不安定な状態である場合に上記記録残量の情報を点滅表示し、安定した状態である場合に上記記録残量の情報を連続点灯表示するよう上記表示動作を制御することを特徴とする請求項２に記載の画像記録装置。
【請求項５】
上記制御手段は、上記平均記録レートが不安定な状態である場合に上記記録残量の情報をアイコンにて表示し、安定した状態である場合に上記記録残量の情報を数字キャラクタにて表示するよう上記表示動作を制御することを特徴とする請求項２に記載の画像記録装置。
【請求項６】
上記制御手段は、上記平均記録レートが安定した状態であるか否かに応じて、上記記録残量の情報の表示色を変更するよう上記表示動作を制御することを特徴とする請求項２に記載の画像記録装置。
【請求項７】
入力された画像データを画面間予測符号化により符号化する符号化手順と、
上記符号化された画像データを記録媒体に記録する記録手順と、
上記記録媒体の記録残量の情報を表示装置に表示する表示手順と、
上記画像データの平均記録レートが安定しているか否かを検出し、上記平均記録レートが安定した状態である場合に上記記録残量の情報を表示し、上記平均記録レートが不安定な状態である場合に上記記録残量の情報の表示を禁止するよう、上記表示動作を制御する制御手順とを備えることを特徴とする画像記録方法。
【請求項８】
入力された画像データを画面間予測符号化により符号化する符号化手順と、
上記符号化された画像データを記録媒体に記録する記録手順と、
上記記録媒体の記録残量の情報を表示装置に表示する表示手順と、
上記画像データの平均記録レートが安定しているか否かを検出し、上記平均記録レートが安定した状態である場合と不安定な状態である場合とで、上記記録残量の情報の表示形態を変更するよう、上記表示動作を制御する制御手順とを備えることを特徴とする画像記録方法。
【発明の詳細な説明】
【０００１】
【発明の属する技術分野】
本発明は、ディジタル動画像記録を行うカメラ一体型動画像記録装置等に用いて好適な画像記録装置及び画像記録方法に関するものである。
【０００２】
【従来の技術】
従来より映像信号を記録媒体に記録する画像記録装置として、アナログ映像信号を磁気テープに記録するビデオテープレコーダーがあるが、今日においてはアナログ映像信号をディジタル化して記録媒体に記録するディジタル方式の画像記録装置も多く用いられている。ディジタル方式の画像記録装置としては、ディジタルＶＴＲ、固体ディスクや光磁気ディスクに記録するディジタルビデオディスク装置、フラッシュメモリやＳＲＡＭ等の固体メモリに記録する固体メモリビデオ装置がある。
【０００３】
これらのディジタル方式の画像記録装置では、ディジタル化した映像信号を圧縮符号化して情報量の削減を行い、少ない記録容量で多くの画像情報を記録できるようにしている。圧縮符号化方式としては、例えば直交変換の中でも特に効率の良い離散コサイン変換（ＤＣＴ）を用いたＤＣＴ方式が用いられている。
【０００４】
ＤＣＴ方式では、まず一枚の画像を水平ｘ画素、垂直ｙ画素の複数ブロックに分割してＤＣＴ変換を行う。次に、変換後のＤＣＴ係数をある除数で割り算して余りを丸めることにより量子化を行う。そして、量子化後の画像は低周波成分に偏るという特性を利用して、高周波成分のビット数を減らすことにより情報量を大幅に削減する。また量子化後のデータに対して、そのデータの発生頻度に応じた符号長を割り当てる可変長符号化、例えばハフマン符号化等を行うことにより、さらに情報量の圧縮が可能となる。
【０００５】
また、動画像はフレーム間での相関が強いという特性を利用して、フレーム間の差分を取るフレーム間予測符号化を組み合わせることにより、さらに大きな圧縮が可能になる。
【０００６】
【発明が解決しようとする課題】
このようにフレーム間予測符号化により画像データを符号化して記録する場合、画像の状態によって情報量が変動し、その結果、記録レートも変動する。そのため、記録媒体の記録残量も記録画像の状態によって大きく変動することになる。
【０００７】
従って、このようにフレーム間予測符号化された画像データを記録媒体に記録する場合には、記録媒体の記録残量を正確に把握することができず、非常に使い勝手の悪いものであった。
【０００８】
本発明は前述の如き問題点を解決することを目的とする。
本発明の他の目的は、画面間符号化により画像データを符号化して記録する場合でも、記録媒体の記録残量を精度よくユーザに知らせる処にある。
【０００９】
【課題を解決するための手段】
上記の目的を達成するために、本発明に係る画像記録装置は、入力された画像データを画面間予測符号化により符号化する符号化手段と、上記符号化手段により符号化された画像データを記録媒体に記録する記録手段と、上記記録媒体の記録残量の情報を表示装置に表示する表示手段と、上記画像データの平均記録レートが安定しているか否かを検出し、上記平均記録レートが安定した状態である場合に上記記録残量の情報を表示し、上記平均記録レートが不安定な状態である場合に上記記録残量の情報の表示を禁止するよう、上記表示手段の表示動作を制御する制御手段とを備える。
【００１０】
本発明に係る画像記録装置の他の態様は、入力された画像データを画面間予測符号化により符号化する符号化手段と、上記符号化手段により符号化された画像データを記録媒体に記録する記録手段と、上記記録媒体の記録残量の情報を表示装置に表示する表示手段と、上記画像データの平均記録レートが安定しているか否かを検出し、上記平均記録レートが安定した状態である場合と不安定な状態である場合とで、上記記録残量の情報の表示形態を変更するよう、上記表示手段の表示動作を制御する制御手段とを備える。
【００１１】
本発明に係る画像記録方法は、入力された画像データを画面間予測符号化により符号化する符号化手順と、上記符号化された画像データを記録媒体に記録する記録手順と、上記記録媒体の記録残量の情報を表示装置に表示する表示手順と、上記画像データの平均記録レートが安定しているか否かを検出し、上記平均記録レートが安定した状態である場合に上記記録残量の情報を表示し、上記平均記録レートが不安定な状態である場合に上記記録残量の情報の表示を禁止するよう、上記表示動作を制御する制御手順とを備える。
【００１２】
本発明に係る画像記録方法の他の態様は、入力された画像データを画面間予測符号化により符号化する符号化手順と、上記符号化された画像データを記録媒体に記録する記録手順と、上記記録媒体の記録残量の情報を表示装置に表示する表示手順と、上記画像データの平均記録レートが安定しているか否かを検出し、上記平均記録レートが安定した状態である場合と不安定な状態である場合とで、上記記録残量の情報の表示形態を変更するよう、上記表示動作を制御する制御手順とを備える。
【００１４】
【発明の実施の形態】
以下、本発明の実施の形態を図面と共に説明する。
（第１の実施の形態）
図１は本発明の第１の実施の形態による画像記録装置としてのカメラ一体型動画像記録装置を示すブロック図である。
【００１５】
図１において、１０１はレンズ、１０２はＣＣＤ等の撮像素子を含むカメラ部、１０３はカメラ信号処理回路、１０４は画面並び替え回路、１０５はスイッチ、１０６は減算器、１０７はＤＣＴ回路、１０８は量子化回路、１０９は可変長符号化回路、１１０は逆量子化回路、１１１はＩＤＣＴ回路、１１２は加算器、１１３は動き補償予測回路、１１４はスイッチ、１１５はバッファ、１１６はレート制御回路、１１７は記録回路、１１８はスイッチ、１１９は固定量子化テーブルである。
【００１６】
１２０は記録レート計算回路、１２１はシステムの制御を行うマイクロプロセッサ、１２２はディスプレイに表示する文字信号を発生するキャラクタジェネレータ、１２３はスイッチ、１２４は撮像した映像のモニタディスプレイ、１２５はカメラ部１０２からのモニタ信号と文字信号とを加算する加算器、１２６は記録モード設定回路である。
【００１７】
次に動作について説明する。
レンズ１０１から入力された被写体像は、カメラ部１０２で１フレーム単位にディジタルの画像信号となってカメラ信号処理回路１０３に入力される。カメラ信号処理回路１０３では、画像信号を用いて補正値を決定し、画像信号を補正した画像データは、色差信号と輝度信号に分離されて１フレーム単位に画面並び替え回路１０３と加算器１２５に入力される。画面並び替え回路１０３は、複数フレームを記憶できるメモリを持っており、入力されたフレームの順番を入れ替えて出力する。
【００１８】
ここで、図２を用いて画面並び替えについて説明する。
画面並び替え回路１０３には、第１フレーム、第２フレーム、第３フレーム…と入力され、これを並び替えて第３フレーム、第１フレーム、第２フレーム…と出力する。この画面並び替えは、図３に示す符号化のように、イントラ符号化及びインター符号化を行うために必要な処理である。
【００１９】
イントラ符号化とは、フレーム内のデータのみで符号化するものであり、図３のＩピクチャを生成する符号化である。また、インター符号化とは、フレーム間予測も含めて符号化するものであり、図３のＰピクチャ及びＢピクチャを生成する符号化である。
【００２０】
次に、イントラ符号化とインター符号化に分けて説明する。
図１において、イントラ符号化する場合は、スイッチ１０５はＡ側に接続される。画面並び替え回路１０４から出力された画像データは、スイッチ１０５を介してＤＣＴ回路１０７に入力され直交変換される。直交変換された画像データは、量子化回路１０８で量子化され、量子化された画像データは、逆量子化回路１１０と可変長符号化回路１０９に入力される。また、画面並び替え回路１０４から出力された画像データは動き補償予測回路１１３にも入力される。
【００２１】
上記量子化されたデータは逆量子化回路１１０で逆量子化され、ＩＤＣＴ回路１１１でＩＤＣＴされる。このときスイッチ１１４がＯＦＦされており、上記ＩＤＣＴされた画像データは、加算器１１２を通って動き補償回路１１３に入力される。また、動き補償予測回路１１３は、次のインター符号化のために予測画像を出力する。
【００２２】
また、上記量子化されたデータは、可変長符号化回路１０９に入力されて可変長符号化され、バッファ１１５に入力される。このバッファ１１５内の画像データは記録媒体１１７に記録される。
【００２３】
インター符号化する場合は、スイッチ１０５はＢ側に接続される。画面並び替え回路１０４から出力された画像データは、動き補償予測回路１１３からの予測画像と減算器１０６で減算される。この減算処理は、時間軸方向の冗長度を落とすために行われる。時間軸方向の冗長度を落とした画像データは、スイッチ１０５を介してＤＣＴ回路１０７に入力されて直交変換され、さらに、量子化回路１０８で量子化される。量子化された画像データは、逆量子化回路１１０と可変長符号化回路１０９に入力される。また、画面並び替え回路１０４から出力された画像データは、動き補償予測回路１１３にも入力される。
【００２４】
上記量子化されたデータは、逆量子化回路１１０で逆量子化された後、ＩＤＣＴ回路１１１でＩＤＣＴされる。ＩＤＣＴされた画像データは、スイッチ１１４がＯＦＦのときは動き補償予測回路１１３に入力される。また、スイッチ１１４がＯＮされると、加算器１１２で動き補償予測回路１１３からの予測画像と加算されて復号画像になる。この復号画像は、次の画像符号化のために、動き補償予測回路１１３に入力される。動き補償予測回路１１３は、次のインター符号化のための予測画像と動きベクトルを出力する。動きベクトルは、可変長符号化回路１０９に入力される。
【００２５】
上記量子化されたデータは、可変長符号化回路１０９に入力されて可変長符号化され、バッファ１１５に入力される。このバッファ１１５内の画像データは記録媒体１１７に記録される。
【００２６】
次に、本実施の形態における記録モードについて説明する。
本実施の形態では、モード設定回路１２６により、一定の記録レートで記録を行うＣＢＲ（Ｃｏｎｓｔａｎｔ  Ｂｉｔ  Ｒａｔｅ）モードと、記録レートは変動するが、一定の画質を保持するＶＢＲ（Ｖａｒｉａｂｌｅ  Ｂｉｔ  Ｒａｔｅ）モードとを設定可能である。
まず記録の目標時間を優先とするＣＢＲモードの場合は、モード設定回路１２６はスイッチ１１８をＢ側に接続してレート制御回路１１６により、バッファ１１５の容量を調べ、バッファ１１５の容量に応じて量子化係数を変更する。即ち、バッファ容量が目標容量より少ない場合は記録データレートを高くする様量子化係数を粗くし、バッファ容量が目標容量又はそれ以上の場合は、初期値として与えられている量子化係数により通常の量子化を行うようにすることで、記録レートをＩピクチャ間でおよそ一定となるように制御する。そのため、記録媒体１１７には一定の記録レートで目標時間通りに画像データを符号化して記録することができる。
【００２７】
また、画質を優先とするＶＢＲモードの場合は、モード設定回路１２６はスイッチ１１８をＡ側に接続して固定量子化テーブル１１９から所定の量子化係数を読み込み量子化することにより、画質を一定に保つ。この固定量子化テーブル１１９には、イントラ符号化用とそれ以外のフレーム符号化用との２つの量子化テーブルが設けられている。
【００２８】
このＶＢＲモードでは、入力される画像の動きが速かったり、色の帯域が広い場合には、記録レートは高くなるが、画質に変化のない符号化ができる。また、入力される画像の動きが遅かったり、色の帯域が狭い場合は、記録レートは低くなる。
【００２９】
バッファ１１５からは、ＣＢＲモードのときは固定の記録レートでデータを出力するが、ＶＢＲモードでは変動を伴う記録レートでデータを出力する。
【００３０】
図４はＶＢＲモード時の出力ビットレートの時間推移（横軸）と記録開始からの積算平均ビットレート（縦軸）の一例を示す。
図４に示すように、出力ビットレートは、動画像の移り変わりにより時間と共に常に変化しているが、積算から計算される平均記録ビットレートは時間と共に安定してくる。
【００３１】
記録レート計算回路１２０は、データのある一定時間における出力データ数又はビット数を常にカウントしており、この一定時間毎のデータ数又はビット数をマイコン１２１が読み取り、それを単位時間当たりのビットレートに計算し直している。マイコン１２１では、またこれらデータ数を積算しておき、データの積算時間と積算したビット数からデータの平均記録レートを逐次算出することもしている。
【００３２】
従って、記録媒体１１７の容量がある決められた容量であるので、上記の平均記録レートから記録媒体１１７の記録残り時間を算出することができる。例えば、記録媒体１１７の記録容量が２ＧＢ（ギガバイト）で、記録レートが６Ｍｂｐｓである場合、記録開始時の残り時間は４４分２６秒であるが、マイコン１２１は常に残り時間を計算して出力している。この計算された出力は、キャラクタジェネレータ１２２で文字信号としての表示データに変換されて、スイッチ１２３に供給されている。
【００３３】
ここで、ＣＢＲモードとＶＢＲモードにおける記録残量の表示動作の制御について説明する。
本実施の形態では、前述の通り、ＣＢＲモードにおいてはほぼ一定の記録レートで画像データを記録するため、常に記録残量データを表示する。
即ち、マイコン１２１はモード設定回路１２６からのモード情報に従い、ＣＢＲモードが設定されている場合にはスイッチ１２３をＡ側に接続し、加算器１２５に対してキャラクタジェネレータ１２２からの記録残量を示すキャラクタ信号を出力する。加算器１２５はこのキャラクタ信号とカメラ信号処理回路１０２からの画像信号とを加算してディスプレイ１２４に出力する。ＣＢＲモード時におけるディスプレイ１２４の表示の様子を図５（ｂ）に示す。
【００３４】
次に、ＶＢＲモード時の動作について説明する。
ＶＢＲモードでは前述の通り画像の内容によって記録レートが大きく変動する。そのため、本実施の形態では、記録を開始してからの平均記録レートが安定するまでは記録残量の表示を禁止することによりユーザに対して精度の悪い記録残量表示を行わないようにしている。
【００３５】
即ち、マイコン１２１は、ＶＢＲモードにおいてはスイッチ１２３を記録当初はＢ側に接続することで、加算器１２５へのキャラクタ信号の出力を禁止し、ディスプレイ１２４には残り時間表示を行わない様にする。その後、平均記録レートが安定状態となるのをマイコン１２１で監視し、安定してきたと判断したとき、マイコン１２１はスイッチ１２３をＡ側に接続する。これにより、加算器１２５でモニタ用信号と表示データとが加算されて、ディスプレイ１２４に残り時間が表示される。
【００３６】
図５は本実施の形態による残り時間表示がディスプレイ１２４にどのように表示されるかを示したものである。
図５の（ａ）は、記録当初の平均記録ビットレートが安定しない状態であり、残り時間表示をしていない状態を示す。（ｂ）は、平均ビットレートが安定した状態で残り時間表示をしている状態を示す。
【００３７】
（第２の実施の形態）
次に、本発明の第２の実施の形態について図６〜図１０と共に説明する。
本実施の形態は、非安定時と安定時の両方で残量の表示を行うが、表示のモードを変えるというものである。
【００３８】
図６においては、平均ビットレートが安定しない場合は表示を点滅させて、ユーザに対して現在表示されている残り時間の精度がよくないことを知らせ、平均記録ビットレートが安定したら表示を常時点灯表示にして、ユーザに表示されている残り時間の精度が上がったことを知らせるようにしている。
このように安定しない時と安定した時とで表示のモードを変えることにより、ユーザに残り時間表示の精度の状態を知らせることができる。
【００３９】
図７においては、安定しない時は％表示のような記録媒体の残量表示にしておき、精度が安定したら、通常の残り時間表示に切り替えることによって、ユーザに残り時間の精度の状態を知らせることができる。
【００４０】
図８においては、安定しない時は赤色表示にしておき、精度が安定した場合には、緑色の残り時間表示に切り替えることによって、ユーザに残り時間の精度の状態を知らせることができる。
【００４１】
図９においては、安定しない時はアイコンよるディスクの残量表示にしておき、精度が安定した場合には、通常の残り時間表示に切り替えることによって、ユーザに残り時間の精度の状態を知らせることができる。
【００４２】
図１０においては、安定しない時は表示を行わず、安定したら時間表示を行うものである。
【００４３】
次に、平均記録ビットレートの安定度の検出について説明する。
上記各実施の形態においては、図４に示したように、積算値による平均記録ビットレートは、ある時間が経つに従って安定してくるため、ある一定時間が経過するまで表示をしないか、あるいは通常モードとは違うモードで表示を行い、一定時間が経過した後、表示を行うか、あるいは通常モードにしてモードを変更して表示を行うようにしている。
【００４４】
積算平均は、記録開始からの逐次ビットレートの累積加算値をそれまでの累積時間で割ることにより、式（１）のように算出される。
積算平均ビットレート＝Σ逐次ビットレート／累積時間  ……（１）
尚、一定時間の測定は、マイコン内のタイマによって行うが、マイコン以外に別途タイマを設けてもよい。
【００４５】
また、これ以外にも、記録レートが安定したか否かを以下の方法で判別し、残量表示を制御する様にしてもよい。
図１１は図４の積算ビットレートから算出した差分値を拡大して示した図である。
差分値＝（Ｎ番目の積算ビットレート）−（Ｎ−１番目の積算ビットレート）……（２）
【００４６】
図１１においては、差分値の大きさが一定期間である大きさ以下であった場合に精度が上がったものとする。横軸の時間は、ＧＯＰ（Ｇｒｏｕｐ  Ｏｆ  Ｐｉｃｔｕｒｅ）数で示している。例えば、差分値の絶対値が０．１以下の場合が１０ＧＯＰ以上連続した場合に安定したと判定すれば、横軸のＧＯＰ数４０以上が安定期間と判定され、この期間に残量表示を行う。
【００４７】
これと同様に積算平均ビットレートの隣り合う極大・極小値の差がある一定値以下であれば、安定したと判定する。極大値・極小値は、
積算ビットレートの差分値＝０  ……（３）
となる時刻付近の積算ビットレート値である。
【００４８】
しかるに、ある一定期間内における
（Ｍ番目の極大値・極小値）−（Ｍ−１番目の極大値・極小値）＜閾値  ……（４）
であり、式（３）を満たさない場合においても、下記の式（５）
（Ｍ番目の極大値・極小値の時刻）−（Ｍ−１番目の極大値・極小値の時刻）＞ある時間  ……（５）
においてある時間以上経過していれば安定したと判定する。
【００４９】
例えば、図１０において式（３）のレンジを０．１以下と定め、式（５）のある時間を１０ＧＯＰ以内の隣り合う極大値と極小値の差を求めると、４４番目のＧＯＰ以降が安定であると判断できる。
【００５０】
次に本発明の他の実施の形態としての記憶媒体について説明する。
図１に示すシステムは、ハードウェアで構成することもできるが、ＣＰＵとメモリを含むコンピュータシステムで構成することができる。コンピュータシステムで構成する場合は、上記メモリは本発明による記憶媒体を構成する。この記憶媒体には、上記各実施の形態において説明した動作を制御するための処理手順を実行するためのプログラムが記憶される。
【００５１】
また、この記憶媒体としては、ＲＯＭ、ＲＡＭ等の半導体メモリ、光ディスク、光磁気ディスク、磁気媒体等を用いてよく、これらをＣＤ−ＲＯＭ、フロッピィディスク、磁気テープ、磁気カード、不揮発性メモリカード等に構成して用いてよい。
【００５２】
従って、この記憶媒体を図１に示したシステムや装置以外の他のシステムや装置で用い、そのシステムあるいはコンピュータがこの記憶媒体に格納されたプログラムコードを読み出し、実行することによっても、上記各実施の形態と同等の機能を実現できると共に、同等の効果を得ることができ、本発明の目的を達成することができる。
【００５３】
また、コンピュータ上で稼働しているＯＳ等が処理の一部又は全部を行う場合、あるいは、記憶媒体から読み出されたプログラムコードが、コンピュータに挿入された拡張機能ボードやコンピュータに接続された拡張機能ユニットに備わるメモリに書き込まれた後、そのプログラムコードの指示に基づいて、上記拡張機能ボードや拡張機能ユニットに備わるＣＰＵ等が処理の一部又は全部を行う場合にも、上記各実施の形態と同等の機能を実現できると共に、同等の効果を得ることができ、本発明の目的を達成することができる。
【００５４】
【発明の効果】
以上説明したように、本発明によれば、画質を優先するＶＢＲ記録モードにおいても、記録開始から時間が経って記録レートが安定した状態となれば、記録媒体の残量を精度良く表示することができる。
【００５５】
また、記録レードが安定しない時は表示しないようにすることにより、ユーザに精度の悪い残量を知らせず、精度のあがった時点で精度の高い残量の情報のみを伝えることができる。
【００５６】
さらに、安定しないときと安定したときとで表示モードを変えることにより、例えば、安定しない時は％表示とし、安定したら残り時間表示に切り替えたり、あるいは点滅表示から連続点灯表示に切り替えたり、表示色を変えたり、また、アイコン表示から数字の表示に切り替えたりすることによって、ユーザに現在表示されている残り時間の精度を知らせることができる。
【図面の簡単な説明】
【図１】本発明の実施の形態による画像記録装置を示すブロック図である。
【図２】画面並び替えを説明する構成図である。
【図３】符号化順序を説明する構成図である。
【図４】逐次ビットレートと積算平均ビットレートとその差分値の一例を示す特性図である。
【図５】本発明の第１の実施の形態による残り時間表示の一例を示す構成図である。
【図６】本発明の第２の実施の形態による残り時間表示の一例を示す構成図である。
【図７】本発明の第２の実施の形態による残り時間表示の他の例を示す構成図である。
【図８】本発明の第２の実施の形態による残り時間表示の他の例を示す構成図である。
【図９】本発明の第２の実施の形態による残り時間表示の他の例を示す構成図である。
【図１０】本発明の第２の実施の形態による残り時間表示の他の例を示す構成図である。
【図１１】積算平均ビットレートの差分値の変化を拡大した特性図である。
【符号の説明】
１０２  カメラ部
１０３  カメラ信号処理回路
１０９  可変長符号化回路
１１５  バッファ
１１７  記録媒体
１２０  記録レート計算回路
１２１  マイコン
１２２  キャラクタジェネレータ
１２３  スイッチ
１２４  ディスプレイ
【図１】
0003809299.tif 000002
【図２】
0003809299.tif 000003
【図３】
0003809299.tif 000004
【図４】
0003809299.tif 000005
【図５】
0003809299.tif 000006
【図６】
0003809299.tif 000007
【図７】
0003809299.tif 000008
【図８】
0003809299.tif 000009
【図９】
0003809299.tif 000010
【図１０】
0003809299.tif 000011
【図１１】
0003809299.tif 000012